(57)【要約】【課題】  反射射率の劣化した不良ディスクを確実に判別する。【解決手段】  コントロール部１０ＡはＤＶＤの起動処理をする際、光ピックアップ３にフォーカスサーチ動作をさせたときのＲＦ信号の波高値をＤＶＤの反射率データとして検出し、続いて各種サーボを立ち上げ最内周に記録されたディスク管理情報を読み取らせ、この内のボリュームＩＤが光ディスク反射率情報記憶部１１に記憶されていなければ、該ボリュームＩＤと今回の反射率データを組にした光ディスク反射率情報を光ディスク反射率情報記憶部１１に記憶させる。今回のボリュームＩＤが既に光ディスク反射率情報記憶部１１に記憶されているときは、組をなす反射率データと今回の反射率データの差が所定の一定値以上あるか否かチェックする。若し、一定値以上あれば、不良ディスクと判別し、警告表示をさせる。【選択図】        図３
2008027541.tif 000002
【特許請求の範囲】
【請求項１】
対物レンズを通して光ディスクの記録層へ光ビームを照射し、検出した反射ビームを検出する光ピックアップを含み、光ピックアップの出力から記録データを読み取る光ディスク読み取り手段と、を備えた光ディスク再生装置の不良ディスク検出装置において、
光ディスクの反射率を検出する検出手段と、
光ディスク読み取り手段を制御し、光ディスクの所定箇所に記録された固有情報を読み取らせる固有情報読み取り制御手段と、
固有情報の同じ光ディスクから時間を置いて検出手段で検出した反射率の変化量を所定の基準値と比較し、不良ディスクを判別する判別手段と、
を備えたことを特徴とする光ディスク再生装置の不良ディスク検出装置。
【請求項２】
判別手段が不良ディスクと判別したとき、再生禁止または警告出力を行なうエラー処理手段を設けたこと、
を特徴とする請求項１記載の光ディスク再生装置の不良ディスク検出装置。
【請求項３】
光ディスクの記録層へ光ビームを照射し、検出した反射ビームを検出する光ピックアップを含み、光ピックアップの出力から記録データを読み取る光ディスク読み取り手段を備えた光ディスク再生装置の不良ディスク検出方法において、
光ディスクの所定箇所に記録された固有情報を読み取るとともに光ディスクの反射率を検出し、
固有情報の同じ光ディスクから時間を置いて検出手段で検出した反射率の変化量を所定の基準値と比較し、不良ディスクを判別するようにしたこと、
を特徴とする光ディスク再生装置の不良ディスク検出方法。
【請求項４】
異常ディスクと判別したとき、再生禁止または警告出力を行なうようにしたこと、
を特徴とする請求項３記載の光ディスク再生装置の不良ディスク検出方法。
【発明の詳細な説明】
【技術分野】
【０００１】
本発明は光ディスク再生装置の不良ディスク検出装置およびその方法に係り、とくに４８ＤＶＤ（ディジタルバーサタイルディスク）の如く或る記録層の反射率が時間とともに低下する多層光ディスクを対象とする光ディスク再生装置の不良ディスク検出装置およびその方法に関する。
【背景技術】
【０００２】
ＤＶＤビデオの再生を行うＤＶＤプレーヤは図１の如く構成されている。１は光ディスクであり、ここではＤＶＤビデオである。２は光ディスク１を所定速度で回転するスピンドルモータ、３は光ディスク１の記録層に光ビームを照射し、反射ビームを検出する光ピックアップ、４は光ピックアップ３をディスク半径方向に送るスレッドモータ、５はＲＦアンプであり、光ピックアップ３の検出出力からＲＦ信号、フォーカスエラー信号ＦＥ、トラッキングエラー信号ＴＥなどを作成する。６はサーボ回路であり、スピンドルモータ２に対するスピンドルサーボ、スレッドモータ４に対するスレッドサーボ、光ピックアップ３に対するフォーカスサーボとトラッキングサーボなどを行なう。７は信号処理部であり、ＲＦ信号から光ディスク１の記録データの読み取りをし、ビデオデータ、オーディオデータ等のプレゼンテーションデータを再生出力したり、片面２層、両面１層等のディスク構造やボリューム管理情報を含むディスク管理情報、再生制御に用いるナビゲーション情報を後述するコントロール部に出力したりする。８は光ディスク１に対する各種操作を行うキー操作部、９は動作状態等を表示する表示部、１０はコントロール部であり、キー操作部８での操作に従い各部を制御し、メニューを再生出力させたり、ユーザ所望のタイトルのビデオデータ・オーディオデータを再生出力させたりする。
【０００３】
ところで、ＤＶＤビデオの中には片面または両面に記録層がＬ０（レイヤ０）とＬ１（レイヤ１）の２つある片面２層ＤＶＤまたは両面２層ＤＶＤと呼ばれるタイプがある。ＤＶＤプレーヤによる片面２層ＤＶＤビデオの再生方法を図２の起動処理フローに従って説明する。ユーザが片面２層ＤＶＤビデオを図示しないトレイに載せ、キー操作部８でＣＬＯＳＥ操作をすると、コントロール部１０は図示しないローディング部を制御して光ディスク１をスピンドルモータ２にセットさせた後、図２に示すＤＶＤ起動処理を実行する。まず、光ピックアップ３を光ディスク１の最内周リードインエリアに移動し（ステップＳ１０）、ディスクの検出を行なう（ステップＳ１１）。具体的にはサーボ回路６に対しフォーカスサーチ指令を与え、光ピックアップ３の対物レンズ（図示せず）を光ディスク１の軸方向に移動させながらＲＦ信号レベルを監視し、所定の基準値を越えればディスク有りと判断する（ステップＳ１２でＹＥＳ）。このとき、ステップＳ１３に進み、サーボ回路６に各種サーボオン指令を与えて各種サーボをオンさせる（最初はＬ０層に対してフォーカスサーボ、トラッキングサーボを掛けさせる）。そして、信号処理部７によりＲＦアンプ５から入力したＲＦ信号からＬ０層の一番内側のリードインエリアと続くシステムエリアに記録されたディスク管理情報を読み取らせる（ステップＳ１４）。コントロール部１０はディスク管理情報を内蔵メモリに記憶したのち、再生を開始させる（ステップＳ１５）。具体的には、ディスク管理情報からナビゲーション情報のＶＭＧＩの記録開始ポイントを調べ、サーボ回路６を制御してＶＭＧＩの記録開始ポイントをサーチさせるとともに信号処理部７を制御してＶＭＧＩを読み取らせる。コントロール部１０はＶＭＧＩを内蔵メモリに記憶し、ＶＭＧＩを参照して最初に出力すべき情報を調べる。ここではメニューとすると、サーボ回路６を制御してメニューの記録開始ポイントをサーチさせるとともに信号処理部７を制御してメニューを再生させる。ユーザがキー操作部８で所望のプレゼンテーション情報を選択すると、コントロール部１０はＶＭＧＩを参照して所望の情報の記録開始ポイントを調べ、サーボ回路６を制御して所望の情報の記録開始ポイントをサーチさせるとともに信号処理部７を制御して所望の情報を再生させる。若し、所望の再生情報がＬ１層に記録されているときはサーチに先立ってＬ０層からＬ１層へ光ビームスポットをジャンプさせる。
【０００４】
ところで、「４８ＤＶＤ」と呼ばれる光ディスクは、Ｌ０、Ｌ１の２層の記録層の内、Ｌ１層の反射率が時間の経過とともに低下し、最後に殆んど反射しない状態となるようにして４８時間の再生保障をしたメディアである。４８時間以内であれば通常の２層ＤＶＤと同様にＬ０層とＬ１層に記録されたプレゼンテーション情報の再生が可能である。
【０００５】
しかしながら、再生保障期間を過ぎた「４８ＤＶＤ」をＤＶＤプレーヤにセットし再生させたとき、Ｌ０層のディスク管理情報、ＶＭＧＩなどは読み取ることができ、ディスク管理情報にＬ１層が定義されているため、ユーザがＬ１層のプレゼンテーション情報を選択したとき、コントロール部１０はサーボ回路６と信号処理部７を制御してＬ１層へアクセスさせるが、Ｌ１層の反射率の低下でいつまでたっても正常なＲＦ信号、ＦＥ信号、ＴＥ信号が生成されず、Ｌ１層に対するサーボオン処理を無駄に続けたり、所望プレゼンテーション情報の記録開始ポイントを無駄にサーチし続けたりし、最悪の場合、ハングアップしてディスクの取り出し不能という事態を招くことがあった。
【０００６】
【特許文献１】特開２００６−５０２２４２号公報
【発明の開示】
【発明が解決しようとする課題】
【０００７】
本発明は上記した従来技術の問題に鑑み、反射率の劣化した不良ディスクを確実に判別できる光ディスク再生装置の不良ディスク検出装置およびその方法を提供することを、その目的とする。
【課題を解決するための手段】
【０００８】
請求項１の発明は、光ディスクの記録層へ光ビームを照射し、検出した反射ビームを検出する光ピックアップを含み、光ピックアップの出力から記録データを読み取る光ディスク読み取り手段と、を備えた光ディスク再生装置の不良ディスク検出装置において、光ディスクの反射率を検出する検出手段と、光ディスク読み取り手段を制御し、光ディスクの所定箇所に記録された固有情報を読み取らせる固有情報読み取り制御手段と、固有情報の同じ光ディスクから時間を置いて検出手段で検出した反射率の変化量を所定の基準値と比較し、不良ディスクを判別する判別手段と、を備えたことを特徴としている。
請求項２の発明は、判別手段が不良ディスクと判別したとき、再生禁止または警告出力を行なうエラー処理手段を設けたこと、を特徴としている。
請求項３の発明は、光ディスクの記録層へ光ビームを照射し、検出した反射ビームを検出する光ピックアップを含み、光ピックアップの出力から記録データを読み取る光ディスク読み取り手段を備えた光ディスク再生装置の不良ディスク検出方法において、光ディスクの所定箇所に記録された固有情報を読み取るとともに光ディスクの反射率を検出し、固有情報の同じ光ディスクから時間を置いて検出手段で検出した反射率の変化量を所定の基準値と比較し、不良ディスクを判別するようにしたこと、を特徴としている。
請求項４の発明は、不良ディスクと判別したとき、再生禁止または警告出力を行なうようにしたこと、を特徴としている。
【発明の効果】
【０００９】
本発明によれば、多層光ディスクの或る記録層の反射率が急に劣化したときに、不良ディスクとして判別可能となる。また、不良ディスクと判別したあと再生を禁止してハングアップを防止したり、ユーザに不良ディスクである旨警告することもできる。
【発明を実施するための最良の形態】
【００１０】
ＤＶＤの固有情報であるボリュームＩＤと反射率データＲＤを組にした光ディスク反射率情報（ボリュームＩＤ，ＲＤ）を多数組記憶できる光ディスク反射率情報記憶部を設ける。ＤＶＤ起動処理をする際、コントローラは光ピックアップにフォーカスサーチ動作をさせたときのＲＦ信号の波高値を光ディスクの反射率データＲＤ０として検出し、続いて各種サーボを立ち上げ最内周に記録されたディスク管理情報を読み取らせ、この内のボリュームＩＤが光ディスク反射率情報記憶部に記憶されていなければ、該ボリュームＩＤと今回のＲＤ０を組にした光ディスク反射率情報（ボリュームＩＤ，ＲＤ＝ＲＤ０）を光ディスク反射率情報記憶部に記憶させる。今回のボリュームＩＤが既に光ディスク反射率情報記憶部に記憶されているときは、組をなす反射率データＲＤと今回の反射率データＲＤ０の差が所定の一定値以上あるか否かチェックすることで反射率の異常な経時変化を監視する。若し、一定値以上あれば、不良ディスクと判別し、警告表示をするとともに再生を禁止する。
【実施例１】
【００１１】
図３は本発明の実施例に係るＤＶＤプレーヤの構成を示すブロック図であり、図１と同一の構成部分には同一の符号が付してある。
１１はＤＶＤの固有情報の一つであるボリュームＩＤと反射率データＲＤを組にした光ディスク反射率情報（ボリュームＩＤ，ＲＤ）を多数組記憶できる光ディスク反射率情報記憶部であり、ここでは、電気的に書き換え可能な不揮発性のＥＥＰＲＯＭを用いてある。コントロール部１０Ａはキー操作部８での操作に従い各部を制御し、メニューを再生出力させたり、ユーザ所望のタイトルのビデオデータ・オーディオデータを再生出力させたりするほか、ＤＶＤの起動処理をする際、コントロール部１０Ａは光ピックアップ３にフォーカスサーチ動作をさせたときのＲＦ信号の波高値をＤＶＤの反射率データＤＦＳ０として検出し、続いて各種サーボを立ち上げ最内周に記録されたディスク管理情報を読み取らせ、この内のボリュームＩＤが光ディスク反射率情報記憶部１１に記憶されていなければ、該ボリュームＩＤと今回のＤＦＳ０を組にした光ディスク反射率情報（ボリュームＩＤ，ＤＦＳ＝ＤＦＳ０）を光ディスク反射率情報記憶部１１に記憶させる。今回のボリュームＩＤが既に光ディスク反射率情報記憶部１１に記憶されているときは、組をなす反射率データＤＦＳと今回の反射率データＤＦＳ０の差が所定の一定値以上あるか否かチェックすることで、反射率の異常な経時変化を監視する。若し、一定値以上あれば、不良ディスクと判別し、警告表示をさせるとともに再生を禁止する。
ＤＶＤプレーヤの他の構成部分は図１と全く同様に構成されている。
【００１２】
図４と図５はコントロール部１０ＡによるＤＶＤ起動処理を示すフローチャート、図６は光ディスク反射率情報記憶部１１の記憶内容の説明図、図７は「４８ＤＶＤ」の反射率の時間変化の様子を示す線図であり、以下、これらの図を参照して上記した実施例の動作を説明する。なお、最初、光ディスク反射率情報記憶部１１には光ディスク反射率情報が未記録であるとする。
（４８ＤＶＤの再生保障期間内）
ユーザが入手した或る４８ＤＶＤの光ディスク１ａを再生保障期間内にトレイに載せ、キー操作部８でＣＬＯＳＥ操作をすると、コントロール部１０Ａはローディング部を制御してスピンドルモータ２にセット後、図４に従いＤＶＤ起動処理を実行する（図７のＸ参照）。まず、光ピックアップ３を光ディスク１ａの最内周リードインエリアに移動し、ディスクの検出を行なう（ステップＳ２０、Ｓ２１）。具体的にはサーボ回路６に対しフォーカスサーチ指令を与え、光ピックアップ３の対物レンズ（図示せず）をディスクの軸方向に移動させながらＲＦ信号レベルを監視し、所定の基準値Ｌを越えればディスク有りと判断する（ステップＳ２２）。このとき、フォーカスサーチ動作中のＲＦ信号の波高値を反射率データＤＦＳ０とし、（ステップＳ２３）、ステップＳ２４に進み、サーボ回路６に各種サーボオン指令を与えて各種サーボをオンさせる（最初はＬ０層に対してフォーカスサーボ、トラッキングサーボを掛けさせる）。信号処理部７によりＲＦ信号からＬ０層の一番内側のリードインエリアと続くシステムエリアに記録されたディスク管理情報を読み取らせる（ステップＳ２５）。コントロール部１０Ａはディスク管理情報を内蔵メモリに記憶し、この内、ＤＶＤの固有情報であるボリュームＩＤ（ボリューム識別情報）をＶＩＤとして、今回のＶＩＤを含む光ディスク反射率情報が光ディスク反射率情報記憶部１１に記憶済かチェックする（ステップＳ２６、Ｓ２７）。ここではＮＯなので、今回の光ディスク１ａのＶＩＤ（ＶＩＤａとする）とＤＦＳ０を組にした（ＶＩＤａ，ＤＦＳ０）を光ディスク反射率情報（ＶＩＤ，ＤＦＳ）として光ディスク反射率情報記憶部１１に記憶させる（ステップＳ２８。図６の（１）参照）。この後、コントロール部１０Ａは光ディスク１ａの再生を開始させる（ステップＳ２９）。セット済の４８ＤＶＤが再生保障期間内であるのでＬ０層、Ｌ１層ととも再生可能である。
【００１３】
ユーザがキー操作部８でＯＰＥＮ操作をすると、コントロール部１０Ａは図示しないローディング部を制御して光ディスク１を外部に排出させる。その後、再び、同じ４８ＤＶＤを図示しないトレイに載せ、キー操作部８でＣＬＯＳＥ操作をすると（図７のＹ参照）、コントロール部１０Ａは図示しないローディング部を制御して光ディスク１をスピンドルモータ２にセットさせた後、前述と同様にして、ディスク検出を行なったのち、ＲＦ信号の波高値を反射率データＤＦＳ０とする（ステップＳ２０〜Ｓ２３）。次に、各種サーボをオンさせ、ディスク管理情報を読み取らせて内蔵メモリに記憶する（ステップＳ２４、Ｓ２５）。この内、ＤＶＤの固有情報であるボリュームＩＤをＶＩＤ（＝ＶＩＤａ）とし（ステップＳ２６）、ＶＩＤを含む光ディスク反射率情報が光ディスク反射率情報記憶部１１に記憶済かチェックする（ステップＳ２７）。今度はＹＥＳなので、更に、図５のステップＳ３０に進み、不良ディスクとして登録済かチェックし（ＶＩＤと組をなすＤＦＳが０かチェック）、ここではＮＯなので、今回のＶＩＤと組にして記憶されたＤＦＳと今回のＤＦＳ０の差分ΔＤＦＳを求め（図７のＡ参照）、予め定められた所定の一定値Ｌ以上有るかチェックすることで、同一のＤＶＤの反射率の異常な経時変化を監視する（ステップＳ３１）。まだ再生保障時間内であり、一定値より小さいとき、ステップＳ３１でＮＯと判断し、光ディスク反射率情報記憶部１１に記憶された今回のボリュームＩＤに対応する光ディスク反射率情報（ＶＩＤａ，ＤＦＳ）の内、ＤＦＳを今回の反射率ＤＦＳ０で書き換える（ステップＳ３２）。この後、コントロール部１０Ａは光ディスク１ａの再生を開始させる（ステップＳ３３参照）。
【００１４】
（４８ＤＶＤの再生保障期間後）
ユーザがキー操作部８でＯＰＥＮ操作をし、外部に排出させた後、再生保障期間を過ぎてから再び同じ４８ＤＶＤを図示しないトレイに載せ、キー操作部８でＣＬＯＳＥ操作をすると（図７のＺ参照）、コントロール部１０Ａは図示しないローディング部を制御して光ディスク１ａをスピンドルモータ２にセットさせた後、ディスク検出、反射率データＤＦＳ０の検出をし、各種サーボオン後、ディスク管理情報を読み取らせて記憶する（図４のステップＳ２０〜Ｓ２５）。そして、ボリュームＩＤをＶＩＤ（＝ＶＩＤａ）とし（ステップＳ２６）、ＶＩＤを含む光ディスク反射率情報が光ディスク反射率情報記憶部１１に記憶済かチェックする（ステップＳ２７）。今度もＹＥＳなので、図５に進み、不良ディスクとして登録済かチェックし（ステップＳ３０）、ＮＯなのでＶＩＤと組にして記憶されたＤＦＳと今回のＤＦＳ０の差分ΔＤＦＳを求め（図７のＢ参照）、予め定められた所定の一定値Ｌ以上有るかチェックする（ステップＳ３１）。再生保障時間を過ぎて４８ＤＶＤのＬ１層の反射率が急激に劣化したため、ΔＤＦＳが一定値Ｌを越えていたとき、「４８ＤＶＤ」と判断し、光ディスク反射率情報記憶部１１に不良ディスクであることを登録するため、光ディスク反射率情報記憶部１１の内、今回のＶＩＤと組で記憶されたＤＦＳを０に書き換える（ステップＳ３４。図６（２）参照）。そして、各種サーボを停止するとともに再生を禁止し（ステップＳ３５、Ｓ３６）、表示部９に「不良ディスクです」との警告メッセージを表示させ、ユーザにディスクの排出操作を促す（ステップＳ３７。ローディング部を制御して自動排出させても良い）。
【００１５】
なお、不良ディスクの登録がされた４８ＤＶＤを再度セットし、再生操作をしたとき、ステップＳ３０でＹＥＳとなり、再生が禁止され、「不良ディスクです」との警告メッセージが表示される。また、他の４８ＤＶＤの光ディスク１ｂを初めて再生させたとき、前述と同様にして、光ディスク反射率情報記憶部１１に光ディスク反射率情報（ＶＩＤｂ，ＤＦＳ）が追加して記憶されるので（図４のステップＳ２８、図６（２）参照）、再生保障期間を過ぎたあと再度再生させたとき、光ディスク反射率が一定値Ｌ以上低下していれば、不良ディスクと判別される。
【００１６】
この実施例によれば、４８ＤＶＤの反射率が急激に劣化し、再生不能となったときに、不良ディスクとして判別可能となり、再生を禁止してハングアップを防止したり、ユーザに不良ディスクである旨警告することができる。
なお、上記した実施例では４８ＤＶＤを例に挙げて説明したが、ＤＶＤ−Ｒ、ＤＶＤ−ＲＡＭ等の記録系ディスクの内、劣化すると反射率の悪化するディスクに対しても不良ディスクの判別が可能となる。また、光ディスクの反射率は対物レンズを軸方向に移動したときのＲＦ信号の波高値で検出するようにしたが、対物レンズを軸方向に移動したときの光ピックアップの検出出力から作成したＦＥ信号の波高値、ＳＵＭ（和）信号の波高値などで検出するようにしても良い。
【産業上の利用可能性】
【００１７】
本発明は、光ディスク再生装置、光ディスク記録・再生装置などに適用できる。
【図面の簡単な説明】
【００１８】
【図１】従来のＤＶＤプレーヤの構成例を示すブロック図である。
【図２】図１のコントロール部によるＤＶＤ起動処理を示すフローチャートである。
【図３】本発明に係るＤＶＤプレーヤの構成を示すブロック図である（実施例１）。
【図４】図３のコントロール部によるＤＶＤ起動処理を示すフローチャートである。
【図５】図３中のコントロール部のＤＶＤ起動処理を示すフローチャートである。
【図６】図３中の光ディスク反射率情報記憶部の記憶内容の説明図である。
【図７】４８ＤＶＤの反射率変化を示す線図である。
【符号の説明】
【００１９】
１  光ディスク
３  光ピックアップ
５  ＲＦアンプ
６  サーボ回路
７  信号処理部
８  キー操作部
９  表示部
１０Ａ  コントロール部
１１  光ディスク反射率情報記憶部
【図１】
2008027541.tif 000003
【図２】
2008027541.tif 000004
【図３】
2008027541.tif 000005
【図４】
2008027541.tif 000006
【図５】
2008027541.tif 000007
【図６】
2008027541.tif 000008
【図７】
2008027541.tif 000009